(57)【要約】【課題】  運転者等の被検者の負担感が少なく、なりすましを有効に防止して、飲酒による事故を防止できる飲酒操作防止装置を提供する。【解決手段】  被検者の眼の生体情報を被認証情報として取得する生体情報取得部２０と、生体情報取得部２０の動作と連動して、被検者の眼からの蒸発気体を用いて被検者の酩酊情報を測定する酩酊度測定部２０と、操作対象に対して操作可能な特定操作者の生体情報として予め登録された登録生体情報及び酩酊度基準値を記憶する情報記憶部４２と、登録生体情報と被認証情報とを比較し、被検者が特定操作者であるか否かを判定する認証部４１ａと、酩酊度基準値と酩酊情報とを比較し、被検者が飲酒状態であるか否かを判定する酩酊判定部４１ｂと、認証部４１ａ及び酩酊判定部４１ｂの判定結果に基づいて、被検者の操作対象に対する操作の可否を判定する操作判定部４１ｃとを備えることを特徴とする。【選択図】  図２
2012170735.tif 000002
【特許請求の範囲】
【請求項１】
被検者の眼の生体情報を被認証情報として取得する生体情報取得部と、
前記生体情報取得部の動作と連動して、前記被検者の眼からの蒸発気体を用いて前記被検者の酩酊情報を測定する酩酊度測定部と、
操作対象に対して操作可能な特定操作者の生体情報として予め登録された登録生体情報及び酩酊度基準値を記憶する情報記憶部と、
前記登録生体情報と前記被認証情報とを比較し、前記被検者が特定操作者であるか否かを判定する認証部と、
前記酩酊度基準値と前記酩酊情報とを比較し、前記被検者が飲酒状態であるか否かを判定する酩酊判定部と、
前記認証部及び前記酩酊判定部の判定結果に基づいて、前記被検者の前記操作対象に対する操作の可否を判定する操作判定部とを備えることを特徴とする飲酒操作防止装置。
【請求項２】
前記操作判定部からの信号に基づいて前記操作対象の始動を制御する操作対象制御部を備えることを特徴とする請求項１に記載の飲酒操作防止装置。
【請求項３】
前記生体情報取得部及び前記酩酊度測定部は、筒形状の側壁と、当該側壁の下部を塞ぐように形成された底面部とを有するケースを備え、
前記ケースには、アルコール濃度を検知するエタノールセンサと、ヒータと、温度センサとが配置されていることを特徴とする請求項１又は請求項２に記載の飲酒操作防止装置。
【請求項４】
前記ケースには、撮像装置が配置され、
前記酩酊判定部は、前記被検者にまばたきを促し、前記被検者のまばたきの回数を前記撮像装置で測定した後、前記エタノールセンサに酩酊情報としてアルコール濃度を測定させることを特徴とする請求項３に記載の飲酒操作防止装置。
【請求項５】
前記生体情報取得部及び前記酩酊度測定部は、筒形状の側壁と、当該側壁の下部を塞ぐように形成された底面部とを有するケースを備え、
前記ケースには、ポンプが接続された第一開口と、アルコール濃度を検知するエタノールセンサが接続された第二開口とが形成されており、
前記ポンプは、前記第一開口から第二開口に向かって気体を流通させることを特徴とする請求項１又は請求項２に記載の飲酒操作防止装置。
【請求項６】
前記生体情報取得部及び前記酩酊度測定部は、筒形状の側壁と、当該側壁の下部を塞ぐように形成された底面部とを有するケースを備え、
前記ケースには、第一開口と、ポンプとアルコール濃度を検知するエタノールセンサとが接続された第二開口とが形成されており、
前記ポンプは、前記第一開口から第二開口に向かって気体を流通させることを特徴とする請求項１又は請求項２に記載の飲酒操作防止装置。
【請求項７】
操作対象に対して操作可能な特定操作者の生体情報として登録生体情報及び酩酊度基準値を記憶させる情報記憶ステップと、
被検者の眼の生体情報を被認証情報として取得する生体情報取得ステップと、
前記被認証情報の取得のタイミングと連動して、前記被検者の眼からの蒸発気体を用いて前記被検者の酩酊情報を測定する酩酊度測定ステップと、
前記登録生体情報と前記被認証情報とを比較し、前記被検者が特定操作者であるか否かを判定する認証ステップと、
前記酩酊度基準値と前記酩酊情報とを比較し、前記被検者が飲酒状態であるか否かを判定する酩酊判定ステップと、
前記認証ステップ及び前記酩酊判定ステップの判定結果に基づいて、前記被検者の前記操作対象に対する操作の可否を判定する操作判定ステップとを含むことを特徴とする飲酒操作防止方法。
【発明の詳細な説明】
【技術分野】
【０００１】
本発明は、飲酒運転等の飲酒状態での操作を防止する技術に関し、特に生体認証技術と血中アルコール濃度等の酩酊情報を測定する技術とを用いた飲酒操作防止装置及び飲酒操作防止方法に関する。
【背景技術】
【０００２】
近年、自動車による交通事故は大きな社会問題であり、とりわけ飲酒運転による事故は、運転者本人はもとより、多くの他者の生命を奪う可能性が大きい、恐るべき凶器による事故といえる。道路交通法の改正（平成１４年６月１日施行）により飲酒運転等の悪質・危険運転をした者への罰則が強化された。特に、酒気帯び運転については罪刑が引き上げられる共に、呼気中のアルコール濃度基準値が従来「０．２５ｍｇ／Ｌ」であったものを、「０．１５ｍｇ／Ｌ」に引き下げ、刑罰の威嚇効果によって、かかる事態の発生を事前抑制すべく対策を講じているところである。
【０００３】
しかしながら、そのような刑罰の威嚇効果のみでは、飲酒運転による事故は一向に治まらないのが現状であり、自動車自体の運転を物理的に不可能とするような対策が一層望まれている。
このような対策として、運転者の呼気中に含まれるアルコール濃度を検出して飲酒運転の防止を物理的に図るアルコール成分検出装置がある（例えば、特許文献１参照）。
【０００４】
しかしながら、このようなアルコール成分検出装置では、呼気採取のために運転者がマウスピースを口にくわえる必要があるので、心理的にも衛生的にも問題があった。なお、毎回マウスピースを消毒したり交換したりすることも考えられるが、手間がかかって繁雑である。
さらに、呼気を吹き込むという行為は身体的な負荷があることから、運転者に疎まれ、特に咳や喘息等の呼吸器疾患を持つ運転者にとっては顕著な問題となる。また、呼気には、エタノールのように血液に由来し肺胞で気相へ移行する成分の他、口腔や消化器系等に由来する成分も含め、数百種類の物質が含まれるといわれ、エタノールとそれ以外の成分とを分別して定量するためには電気化学式センサ等を必要とし、高価にならざるを得ない問題があった。
【０００５】
そして、このようなアルコール成分検出装置では、運転者以外の第三者が運転者になりすまして、アルコール成分検出装置の被検者となった場合は、酩酊した運転者の運転を禁止することができないという問題もある。ここで、「なりすまし」とは、システムのアクセス制御機構を悪用し、権限のない第三者が目的のアクセス制御を得るため、システムの正規な利用者に「なりすます」行為である。
【０００６】
そこで、生体情報の認証によるなりすまし行為の防止と、飲酒による酩酊状態の情報取得とを一括して行う飲酒操作防止装置が開示されている（例えば、特許文献２参照）。
このような飲酒操作防止装置では、例えば、被認証情報が取得される生体の部位と酩酊情報が測定される生体の部位がどちらも指先であり、同一であるので、なりすましを有効に排除できる。また、マウスピースを用いないので、心理的にも衛生的にも問題がない。
【先行技術文献】
【特許文献】
【０００７】
【特許文献１】特開昭６３−１７２９５３号公報
【特許文献２】特開２００９−１５３５９７号公報
【発明の概要】
【発明が解決しようとする課題】
【０００８】
しかしながら、上述したような飲酒操作防止装置では、指の皮膚を介して間質液由来のガスを採取する方法が記載されているが、皮膚には体内の水分の蒸散を防ぐ角質層が存在するため、採取効率が低くならざるを得ないという問題があった。
なお、皮膚の角質層を物理的なテープストリッピングや薬品等により除去することは可能ではあるが、自動車運転等の日常的な操作のたびに角質層を除去するというのは受容性の面で現実的ではない。
【課題を解決するための手段】
【０００９】
この課題を解決するべく本発明者らは、運転者等の被検者の負担感が少なく、なりすましを有効に防止して、飲酒による事故を防止できる方法について検討した。
人体のうち角質層が存在しない部位の一つとして、眼がある。人間の眼は常に体液（涙液）によって潤されており、その一部は常に蒸発している。また、涙液は９８％が水であり、消化器系とも隔離されているため呼気に比べて不純物の量及び種類が少なく、半導体センサ等の安価な手段により測定が可能である。
なお、コンタクトレンズ使用者についても、コンタクトレンズの表面は、眼球と同様に涙液で覆われているため、蒸発が妨げられることはない。
【００１０】
一方、生体認証に眼を用いる方法は既に知られており、例えば、虹彩パターンを用いる方法や、網膜の血管パターンを用いる方法等がある。そして、印刷された虹彩パターンを用いたなりすましについて、刺激に対する生体反応をチェックする方法や、光源の反射像をみる方法等の様々な防御方法も開示されている。さらに、虹彩パターンを用いる方法は、コンタクトレンズ使用者でも認証可能である。
そこで、被検者の眼からの蒸発気体を用いて被検者の酩酊情報を測定すると共に、被検者の眼の生体情報を被認証情報として取得することを見出した。なお、眼からの蒸発気体の採取には、眼の周囲をケース等に接触させる必要があるが、呼気の採取に用いられるマウスピースと比較して心理的にも衛生的にも問題は小さい。
【００１１】
すなわち、本発明の飲酒操作防止装置は、被検者の眼の生体情報を被認証情報として取得する生体情報取得部と、前記生体情報取得部の動作と連動して、前記被検者の眼からの蒸発気体を用いて前記被検者の酩酊情報を測定する酩酊度測定部と、操作対象に対して操作可能な特定操作者の生体情報として予め登録された登録生体情報及び酩酊度基準値を記憶する情報記憶部と、前記登録生体情報と前記被認証情報とを比較し、前記被検者が特定操作者であるか否かを判定する認証部と、前記酩酊度基準値と前記酩酊情報とを比較し、前記被検者が飲酒状態であるか否かを判定する酩酊判定部と、前記認証部及び前記酩酊判定部の判定結果に基づいて、前記被検者の前記操作対象に対する操作の可否を判定する操作判定部とを備えるようにしている。
【００１２】
ここで、「生体情報取得部の動作と連動して」とは、生体情報取得部の動作と酩酊度測定部の動作とのタイミングが特定の時刻で同期していればよく、生体情報取得部の動作か酩酊度測定部の動作のいずれか一方が速く開始してもよく、生体情報取得部の動作か酩酊度測定部の動作のいずれか一方が遅く終了してもよい。また、生体情報取得部の動作期間と酩酊度測定部の動作期間との時間的な長さは同一である必要もない。
また、「生体情報」とは、全ての人が持つ特徴であり、同じ特徴を持つ他人がいなく、時間によって特徴が変化しないもの等が挙げられ、虹彩、網膜等がある。
さらに、「酩酊情報」とは、単位体積の血液中に含まれるアルコール量を「％」で表した血中アルコール濃度である。そして、「酩酊度基準値」とは、操作対象（自動車）の操作が可能な酩酊情報（血中アルコール濃度）の上限の閾値である。
【発明の効果】
【００１３】
以上のように、本発明の飲酒操作防止装置によれば、眼からの蒸発気体による血中アルコール濃度の測定を行う機能と、眼を用いて生体認証を行う機能とを組み合わせることにより、被検者の負担感が少なく、なりすましを有効に防止して、飲酒による事故を防止できる。
【００１４】
（その他の課題を解決するための手段及び効果）
また、本発明の飲酒操作防止装置は、前記操作判定部からの信号に基づいて前記操作対象の始動を制御する操作対象制御部を備えるようにしてもよい。
【００１５】
また、本発明の飲酒操作防止装置は、前記生体情報取得部及び前記酩酊度測定部が、筒形状の側壁と、当該側壁の下部を塞ぐように形成された底面部とを有するケースを備え、前記ケースには、アルコール濃度を検知するエタノールセンサと、ヒータと、温度センサとが配置されているようにしてもよい。
本発明の飲酒操作防止装置によれば、側壁と底面部と被検者の眼とで形成された空間が涙液の温度よりも低い場合、水やエタノールが凝結すると正しい測定が行えないが、ヒータで空間を加熱して温度調整することができる。
【００１６】
また、本発明の飲酒操作防止装置は、前記ケースには、撮像装置が配置され、前記酩酊判定部は、前記被検者にまばたきを促し、前記被検者のまばたきの回数を前記撮像装置で測定した後、前記エタノールセンサに酩酊情報としてアルコール濃度を測定させるようにしてもよい。
ここで、眼球表面において、空気に触れている涙液の量は約２μＬである。この涙液に含まれるエタノール量は、ケースの容積（例えば、約１０ｍＬ）を飽和蒸気圧に到達させるために充分なものではない。結膜襄（まぶたの内側）には、約７μＬの涙液が滞留しており、まばたきの都度、眼球表面の涙液が結膜襄にある涙液と混合されると共に、約０．４μＬずつ新しい涙液が供給され、余剰分が排出される。この作用を利用し、測定中に被検者に１０回程度のまばたきを促し、眼球表面に露出している涙液の更新を行うことで、ケースの容積内のエタノールを飽和蒸気圧まで到達させることができる。このとき、被検者がまばたきを何回行ったかは、撮像装置により動画撮影し、それを処理することにより検出可能である。
【００１７】
また、本発明の飲酒操作防止装置は、前記生体情報取得部及び前記酩酊度測定部は、筒形状の側壁と、当該側壁の下部を塞ぐように形成された底面部とを有するケースを備え、前記ケースには、ポンプが接続された第一開口と、アルコール濃度を検知するエタノールセンサが接続された第二開口とが形成されており、前記ポンプは、前記第一開口から第二開口に向かって気体を流通させるようにしてもよい。
本発明の飲酒操作防止装置によれば、短い時間で測定を行うことができる。また、ケース内が微陽圧となるため、側壁の上部と眼の周囲との接触が不充分であったときにも、周辺空気が混入することがない。
【００１８】
また、本発明の飲酒操作防止装置は、前記生体情報取得部及び前記酩酊度測定部は、筒形状の側壁と、当該側壁の下部を塞ぐように形成された底面部とを有するケースを備え、前記ケースには、第一開口と、ポンプとアルコール濃度を検知するエタノールセンサとが接続された第二開口とが形成されており、前記ポンプは、前記第一開口から第二開口に向かって気体を流通させるようにしてもよい。
本発明の飲酒操作防止装置によれば、短い時間で測定を行うことができる。また、ケース内が微負圧となるため、吸着により側壁の上部と眼の周囲との接触を強めることができる。
【００１９】
そして、本発明の飲酒操作防止方法は、操作対象に対して操作可能な特定操作者の生体情報として登録生体情報及び酩酊度基準値を記憶させる情報記憶ステップと、被検者の眼の生体情報を被認証情報として取得する生体情報取得ステップと、前記被認証情報の取得のタイミングと連動して、前記被検者の眼からの蒸発気体を用いて前記被検者の酩酊情報を測定する酩酊度測定ステップと、前記登録生体情報と前記被認証情報とを比較し、前記被検者が特定操作者であるか否かを判定する認証ステップと、前記酩酊度基準値と前記酩酊情報とを比較し、前記被検者が飲酒状態であるか否かを判定する酩酊判定ステップと、前記認証ステップ及び前記酩酊判定ステップの判定結果に基づいて、前記被検者の前記操作対象に対する操作の可否を判定する操作判定ステップとを含むようにしている。
【図面の簡単な説明】
【００２０】
【図１】本発明に係る自動車の構成を示す図。
【図２】本発明の一実施形態である飲酒操作防止装置の構成を示すブロック図。
【図３】飲酒操作防止方法の一例について説明するためのフローチャート。
【図４】接眼ユニットの構成を示す図。
【図５】接眼ユニットの構成を示す図。
【図６ａ】飲酒操作防止方法の他の一例について説明するためのフローチャート。
【図６ｂ】飲酒操作防止方法の他の一例について説明するためのフローチャート。
【発明を実施するための形態】
【００２１】
以下、本発明の実施形態について図面を用いて説明する。なお、本発明は、以下に説明するような実施形態に限定されるものではなく、本発明の趣旨を逸脱しない範囲で種々の態様が含まれることはいうまでもない。
【００２２】
図１は、本発明に係る自動車の構成を示す図である。また、図２は、本発明の一実施形態である飲酒操作防止装置の構成を示すブロック図である。なお、本実施形態における「特定操作者」は、自動車を運転する運転者である。
自動車１は、運転者Ｐが着席するための運転席３と、エンジン等の駆動部２と、飲酒操作防止装置１０とを備える。
【００２３】
飲酒操作防止装置１０は、接眼ユニット（生体情報取得部）２０と、コンピュータ４０と、接眼ユニット２０とコンピュータ４０とを接続する接続部３０とを備える。
接眼ユニット２０は、円筒形状の側壁２１ａと、側壁２１ａの下部を塞ぐように形成された底面部２１ｂとを有するケース２１を備える。そして、側壁２１ａの上部には、円環形状のゴムパッド２２が形成されている。よって、図１に示すように、運転者Ｐの眼Ｅの周囲にゴムパッド２２が押し当てられることにより、側壁２１ａと底面部２１ｂと運転者Ｐの眼Ｅとで気密な空間（例えば、約１０ｍＬ）が形成されるようになっている。
【００２４】
また、底面部２１ｂには、エタノール濃度を検知するエタノールセンサ２３と、撮像装置２４と、赤外線を出射する照明２５と、ケース２１の内部を加熱するヒータ２６と、ケース２１の内部の温度を検知する温度センサ２７とが配置されている。
エタノールセンサ２３は、運転者Ｐの眼Ｅからの蒸発気体を用いて運転者Ｐのアルコール濃度（酩酊情報）を測定する。このようなエタノールセンサ２３としては、エタノールの吸着による電気伝導度の変化を検知する半導体式のものや、電気化学反応による起電力変化を利用する電気化学方式のもの等が挙げられる。
【００２５】
ヒータ２６は、側壁２１ａと底面部２１ｂと運転者Ｐの眼Ｅとで形成された空間を加熱して温度調整する。温度は、例えば、４２℃程度まで上昇させればよい。
撮像装置２４は、運転者Ｐの眼Ｅの虹彩パターン（生体情報）を被認証情報として取得する。また、運転者Ｐの眼Ｅの像を取得して、運転者Ｐがまばたきを何回行ったかも撮影する。このような撮像装置２４としては、例えばＣＣＤカメラ等が使用可能である。
【００２６】
コンピュータ４０は、ＣＰＵ（制御部）４１やメモリ（情報記憶部）４２を備え、さらに入力装置４４と、表示装置４３とが連結されている。ＣＰＵ４１が処理する機能をブロック化して説明すると、運転者Ｐが特定操作者であるか否かを判定する認証部４１ａと、運転者Ｐが飲酒状態であるか否かを判定する酩酊判定部４１ｂと、運転者Ｐの駆動部２に対する操作の可否を判定する操作判定部４１ｃと、駆動部２の始動を制御する操作対象制御部４１ｄとを有する。
また、メモリ４２は、操作対象に対して操作可能な特定操作者の眼の虹彩パターン（生体情報）として登録生体情報を記憶する登録生体情報記憶領域４２ａと、酩酊度基準値を記憶する酩酊度基準値記憶領域４２ｂとを有する。なお、特定操作者（運転者）としての登録は複数可能であり、操作対象（自動車）の所有者以外も運転（操作）できるよう利便性を向上させることも可能である。
【００２７】
認証部４１ａは、登録生体情報記憶領域４２ａに予め記憶されている特定操作者の眼の虹彩パターンと、照明２５で眼Ｅに光を照射しながら撮像装置２４が被認証情報として取得した運転者Ｐの眼Ｅの虹彩パターンとを比較して、運転者Ｐが特定操作者であるか否かを判定する制御を行う。具体的には、比較した２つの眼の虹彩パターンが一致すれば運転者Ｐを登録された特定操作者として特定し、異なれば自動車１の操作資格がない運転者Ｐとして特定する。
【００２８】
酩酊判定部４１ｂは、酩酊度基準値記憶領域４２ｂに予め記憶されている酩酊度基準値と、ヒータ２６と温度センサ２７とを用いて空間を４２℃にしながらエタノールセンサ２３が取得したエタノール濃度（酩酊情報）とを比較して、運転者Ｐが飲酒状態であるか否かを判定する制御を行う。具体的には、エタノール濃度の測定結果が、酩酊度基準値内に収まっていれば、飲酒状態でないと判定し、エタノール濃度の測定結果が酩酊度基準値を越えている場合には、飲酒状態であると判定する。このとき、運転者Ｐに表示装置４３を用いてまばたきを促し、運転者Ｐのまばたきの回数を撮像装置２４で観察した後、エタノールセンサ２３にエタノール濃度を測定させる。
【００２９】
操作判定部４１ｃは、認証部４１ａ及び酩酊判定部４１ｂの判定結果に基づいて、運転者Ｐの駆動部２に対する操作の可否を判定する制御を行う。具体的には、特定操作者でありかつ飲酒状態でなければ、操作（運転）が可能と判定し、特定操作者でなかったり、飲酒状態であったりすれば、操作（運転）できないと判定する。そして、操作判定部４１ｃは、操作（運転）が可能と判定したときには、操作可能信号を操作対象制御部４１ｄに出力する。つまり、操作対象制御部４１ｄは、操作可能信号が入力されないと、駆動部２を始動しない。
【００３０】
次に、飲酒操作防止方法について説明する。図３は、飲酒操作防止方法の一例について説明するためのフローチャートである。本フローチャートは、運転者Ｐが、接眼ユニット２０のゴムパッド２２を左眼（若しくは右眼）Ｅの周囲に押し当てた後、入力装置４４のスイッチ等を入れることにより呼び出されるものである。
まず、ステップＳ１０１の処理において、酩酊判定部４１ｂは、ヒータ２６と温度センサ２７とを用いて空間を４２℃にすると、表示装置４３等を用いて運転者Ｐに１０回以上のまばたきを促す。
次に、ステップＳ１０２の処理において、酩酊判定部４１ｂは、撮像装置２４から被認証情報を取得して、まばたきの回数を測定する。
【００３１】
次に、ステップＳ１０３の処理において、酩酊判定部４１ｂは、まばたきの回数が所定の回数（１０回）を超えたか否かを判定する。所定の回数を超えていなければ、ステップＳ１０２の処理に戻る。
一方、所定の回数を超えていれば、ステップＳ１０４の処理において、酩酊判定部４１ｂは、エタノールセンサ２３からエタノール濃度を取得する。
次に、ステップＳ１０５の処理において、酩酊判定部４１ｂは、エタノール濃度が酩酊度基準値（閾値）以下であるか否かを判定する。閾値を越えていれば、飲酒状態であると判定して、操作可能としない。一方、閾値以下であれば、ステップＳ１０８の処理に進む。
【００３２】
一方、ステップＳ１０１〜Ｓ１０５の処理を実行している最中に、ステップＳ１０６の処理において、認証部４１ａは、撮像装置２４から被認証情報（虹彩パターン）を取得する。
次に、ステップＳ１０７の処理において、認証部４１ａは、運転者Ｐが特定操作者であるか否かを判定する。特定操作者でないと判定すれば、操作可能としない。一方、特定操作者であると判定すれば、ステップＳ１０８の処理に進む。
【００３３】
次に、ステップＳ１０８の処理において、操作判定部４１ｃは、認証部４１ａ及び酩酊判定部４１ｂの判定結果に基づいて、運転者Ｐの駆動部２に対する操作の可否を判定する。飲酒状態でなく特定操作者であると判定すれば、操作可能とする。一方、それ以外は、操作可能としない。
【００３４】
以上のように、本発明の飲酒操作防止装置１０によれば、眼Ｅからの蒸発気体による血中アルコール濃度の測定を行う機能と、眼Ｅを用いて生体認証を行う機能とを組み合わせることにより、運転者Ｐの負担感が少なく、なりすましを有効に防止して、飲酒による事故を防止できる。
【００３５】
＜他の実施形態＞
（１）上述した飲酒操作防止装置１０において、接眼ユニット２０を用いるような構成を示したが、接眼ユニット１２０を用いるような構成としてもよい。図４は、接眼ユニット１２０の構成を示す図である。なお、接眼ユニット２０と同様のものについては、同じ符号を付している。
接眼ユニット１２０は、円筒形状の側壁１２１ａと、側壁１２１ａの下部を塞ぐように形成された底面部１２１ｂとを有するケース１２１を備える。そして、側壁１２１ａには、第一開口１２１ｃと第二開口１２１ｄとが形成されている。
【００３６】
底面部１２１ｂには、撮像装置２４と、赤外線を出射する照明２５とが配置されている。
第一開口１２１ｃと接続された流路には、ポンプ１２８と、揮発性有機化合物（ＶＯＣ）を取り除く活性炭フィルタ１２９とが設けられている。また、第二開口１２１ｄと接続された流路には、気体中のエタノール濃度を検知するエタノールセンサ１２３が設けられている。
【００３７】
このような接眼ユニット１２０によれば、ポンプ１２８は、第一開口１２１ｃから第二開口１２１ｄに向かって気体を流通させることができる。よって、第一開口１２１ｃから第二開口１２１ｄに向かって気体を流通させた際に、眼Ｅから分泌された涙液が気化した蒸発気体が、気体と共に第二開口１２１ｄに導入される。流通速度は、測定時間内にケース及び配管の容積を充分置換可能な程度、例えば１００ｍＬ／ｍｉｎ程度にすればよい。
なお、第二開口１２１ｄと接続された流路には、所定流量のガスを流すための流量センサが設けられてもよい。これにより、流量センサの検知流量が所定流量よりも小さい場合、漏れがあるとして注意を促したり、必要に応じて再測定を行ったりする等の判定を行うことができ、測定の安定化に寄与することができる。
以上のように、このような飲酒操作防止装置によれば、運転者Ｐにまばたきを促すこともなく短い時間で測定を行うことができる。また、ケース１２１内が微陽圧となるため、側壁１２１ａの上部と眼Ｅの周囲との接触が不充分であったときにも、周辺空気が混入することがない。
【００３８】
（２）上述した飲酒操作防止装置１０において、接眼ユニット１２０を用いるような構成を示したが、接眼ユニット２２０を用いるような構成としてもよい。図５は、接眼ユニット２２０の構成を示す図である。なお、接眼ユニット１２０と同様のものについては、同じ符号を付している。
接眼ユニット２２０は、円筒形状の側壁１２１ａと、側壁１２１ａの下部を塞ぐように形成された底面部１２１ｂとを有するケース１２１を備える。そして、側壁１２１ａには、第一開口１２１ｃと第二開口１２１ｄとが形成されている。
【００３９】
第一開口１２１ｃと接続された流路には、揮発性有機化合物（ＶＯＣ）を取り除く活性炭フィルタ２２９と、所定流量のガスを流すための流量センサ２３０とが設けられている。また、第二開口１２１ｄと接続された流路には、ポンプ２２８と、気体中のエタノール濃度を検知するエタノールセンサ２２３とが設けられている。
【００４０】
このような接眼ユニット２２０によれば、ポンプ２２８は、第一開口１２１ｃから第二開口１２１ｄに向かって気体を流通させることができる。よって、第一開口１２１ｃから第二開口１２１ｄに向かって気体を流通させた際に、眼Ｅから分泌された涙液が気化した蒸発気体が、気体と共に第二開口１２１ｄに導入される。流通速度は、例えば、１００ｍＬ／ｍｉｎ程度にすればよい。
以上のように、このような飲酒操作防止装置によれば、運転者Ｐにまばたきを促すこともなく短い時間で測定を行うことができる。また、ケース１２１内が微負圧となるため、吸着により側壁１２１ａの上部と眼Ｅの周囲との接触を強めることができる。
【００４１】
（３）上述した飲酒操作防止装置１０において、図３に示す飲酒操作防止方法を用いるような構成を示したが、図６に示す飲酒操作防止方法を用いるような構成としてもよい。図６は、飲酒操作防止方法の他の一例について説明するためのフローチャートである。なお、図３に示す飲酒操作防止方法と同様のものについては、説明を省略する。
ステップＳ２０１〜Ｓ２０４の処理は、上述したステップＳ１０１〜１０４の処理と同様であるので、説明を省略する。
【００４２】
ステップＳ２０５の処理において、酩酊判定部４１ｂは、ヒータ２６と温度センサ２７とを用いて空間を４２℃にすると、表示装置４３等を用いて運転者Ｐに１０回以上のまばたきを促す。
次に、ステップＳ２０６の処理において、酩酊判定部４１ｂは、撮像装置２４から被認証情報を取得して、まばたきの回数を測定する。
【００４３】
次に、ステップＳ２０７の処理において、酩酊判定部４１ｂは、まばたきの回数が所定の回数（１０回）を超えたか否かを判定する。所定の回数を超えていなければ、ステップＳ２０６の処理に戻る。
一方、所定の回数を超えていれば、ステップＳ２０８の処理において、酩酊判定部４１ｂは、エタノールセンサ２３からエタノール濃度を取得する。
次に、ステップＳ２０９の処理において、酩酊判定部４１ｂは、エタノール濃度が先程のエタノール濃度と比較してどのように変化したかを判定する。エタノール濃度が増加していれば、ステップＳ２０５の処理に戻る。すなわち、運転者Ｐが眼Ｅを水等で洗浄した可能性があるため、再測定を行う。また、エタノール濃度が減少していれば、ステップＳ２１０の処理に進む。
【００４４】
次に、ステップＳ２１０の処理において、酩酊判定部４１ｂは、エタノール濃度が酩酊度基準値（閾値）以下であるか否かを判定する。閾値を越えていれば、ステップＳ２０５の処理に戻る。すなわち、運転者Ｐがエタノールを含有する点眼薬を使用した可能性があるため、再測定を行う。一方、閾値以下であれば、ステップＳ２１４の処理に進む。
また、ステップＳ２０９の処理において、エタノール濃度が変化していないのであれば、ステップＳ２１１の処理に進む。
なお、ステップＳ２１１〜Ｓ２１４の処理は、上述したステップＳ１０５〜１０８の処理と同様であるので、説明を省略する。
【００４５】
以上のように、このような飲酒操作防止装置によれば、エタノールを含有する点眼薬を使用した運転者Ｐや、眼Ｅを水等で洗浄した運転者Ｐであっても、正確に飲酒状態であるか否かを判定することができる。
【００４６】
（４）なお、本発明は、飲酒による事故は自動車に限られず、船舶や航空機でも同様であり、さらに工作機械、建築機械、産業機械、製造装置、鉄鋼精錬炉、原子炉等の高温、高圧、高エネルギーを伴う種々の機械装置や設備等に使用することができる。
（５）また、コンピュータ４０は、独立した存在である必要はなく、コンソールパネル等と一体化してもよい。
【産業上の利用可能性】
【００４７】
本発明は、生体認証技術と血中アルコール濃度等の酩酊情報を測定する技術とを用いた飲酒操作防止装置に利用することができる。
【符号の説明】
【００４８】
２０：  接眼ユニット（生体情報取得部及び酩酊度測定部）
４１ａ：  認証部
４１ｂ：  酩酊判定部
４１ｃ：  操作判定部
４２：  メモリ（情報記憶部）
【図１】
2012170735.tif 000003
【図２】
2012170735.tif 000004
【図３】
2012170735.tif 000005
【図４】
2012170735.tif 000006
【図５】
2012170735.tif 000007
【図６ａ】
2012170735.tif 000008
【図６ｂ】
2012170735.tif 000009